(57)【要約】本発明は、インターネットアクセスを有すると共にペアレンタルレベルの設定を可能にするように設計されているプレーヤからの、メインコンテンツに関する付加的コンテンツへのアクセスに関する。好適実施例において、前記メインコンテンツは、前記付加的コンテンツへのリンクを有し編集されてディスク上に記憶されている。前記ディスクが、前記プレーヤ内に配された場合、前記のようなリンクが、前記付加的コンテンツにアクセスするように確立されることができる。本発明は、前記のようなアクセスが、ユーザ識別に従う場合に適用される。本発明は、ユーザに適用可能な前記ペアレンタルレベルを復元し、該ユーザになされる提供を、復元された該ペアレンタルレベルに依存して適応化するステップを、ユーザ識別処理に付加することにある。
2006501714.tif 000002
【特許請求の範囲】
【請求項１】
少なくともペアレンタルレベルの設定を可能にするように設計されているプレーヤからの、メインコンテンツに関する付加的コンテンツへのユーザアクセスを制御する方法であって、前記方法は、ユーザを識別するユーザ識別ステップを有し、前記ユーザ識別ステップは、前記プレーヤ内に設定されており前記ユーザに適用可能なペアレンタルレベルを復元するペアレンタルレベル復元ステップと、前記ユーザアクセスを復元された前記ペアレンタルレベルに依存して制御するアクセス制御ステップとを有する、方法。
【請求項２】
ユーザ識別子及びペアレンタルレベルが、ユーザ情報データベース内に記憶されている、登録されているユーザに適用可能であって
―  ユーザによって供給されるユーザ識別子入力を受信するステップ、及び
―  前記ユーザ情報データベース内で前記ユーザ識別子入力を検索することによって、前記ユーザに適用されるべき前記ペアレンタルレベルを、復元するステップ、
を有する、請求項１に記載のユーザアクセス制御の方法。
【請求項３】
プログラムがプロセッサによって実行された場合に、請求項１又は２に記載のユーザアクセス制御の方法を実施する命令を有する該プログラムを記憶する携帯可能な担体。
【請求項４】
プログラムがプロセッサによって実行された場合に、請求項１又は２に記載のユーザアクセス制御の方法を実施する命令を有する該プログラムを、記憶する記憶手段を有するサーバ。
【請求項５】
請求項１に記載のユーザアクセス制御の方法を実施する命令を有するプログラムを、該プログラムを記憶する携帯可能な担体が前記プレーヤ内にある場合に、実行する処理手段を有するプレーヤ。
【請求項６】
処理手段及び記憶手段を有するプレーヤであって、前記記憶手段は、プログラムを実行する際に使用されるユーザ情報データベースを記憶し、前記プログラムは、該プログラムが前記処理手段によって実行される場合に請求項２に記載されたユーザアクセス制御の方法を実施する命令を有する、プレーヤ。
【請求項７】
プレーヤ、伝送ネットワーク及びサーバを有するシステムであって、前記プレーヤは、少なくともペアレンタルレベルを設定する設定手段と、前記伝送ネットワークを介して、メインコンテンツに関する付加的コンテンツにアクセスするためのユーザ要求を前記サーバに送信する送信手段とを有し、前記サーバは、ユーザ要求を送信したユーザを識別するユーザ識別手段を有し、前記ユーザ識別手段は、前記プレーヤ内に設定されており前記ユーザに利用可能であるペアレンタルレベルを復元するペアレンタルレベル復元手段と、復元された前記ペアレンタルレベルに依存してユーザアクセスを制御するアクセス制御手段とを有する、システム。
【発明の詳細な説明】
【技術分野】
【０００１】
本発明は、少なくともペアレンタルレベルの設定を可能にするように設計されたプレーヤからの、メインコンテンツに関する付加的コンテンツへのユーザアクセスを制御する方法に関する。
【０００２】
本発明は、プログラムがプロセッサによって実行された場合に、前記のようなユーザアクセス制御の方法を実施する命令を含む該プログラムを記憶する携帯可能な担体及びサーバにも関する。
【０００３】
本発明は、プログラムを記憶する携帯可能な担体が前記プレーヤ内に存在する場合に、前記のようなユーザアクセス制御の方法を実施する命令を含む該プログラムを実行する処理手段を有するプレーヤにも関する。
【０００４】
本発明は、プレーヤと伝送ネットワークとサーバとを有するシステムであって、前記プレーヤが、少なくともペアレンタルレベルの設定をする設定手段と、前記伝送ネットワークを介して、メインコンテンツに関する付加的コンテンツにアクセスするためのユーザ要求を前記サーバに送信する送信手段とを有する、システムにも関する。
【０００５】
本発明は、ビデオディスクであって、当該特定のディスクに関する付加的コンテンツを提供するウェブサイトへのリンクを有して発行されているビデオディスクに、有利に適用される。これは、ビデオディスクであって、付加的コンテンツがビデオディスク上に記憶されて発行されている該ビデオディスクにも適用される。
【背景技術】
【０００６】
特開平第１１−２２５３２４号公報の要約には、ペアレンタル情報が設定されているプレーヤと、ディスクと、ウェブサーバとを含むシステムが記載されている。前記ディスクが前記プレーヤ内にある場合、該プレーヤは、前記ウェブサーバにリンクして、該ディスクに関するウェブページを取得することができる。前記ウェブページのコンテンツは、前記プレーヤ内に設定されているペアレンタルレベルに適応化される。
【発明の開示】
【発明が解決しようとする課題】
【０００７】
本発明の目的は、ユーザが識別されるコンテキスト態様で、ペアレンタル情報に従って、付加的コンテンツへの前記アクセスを制御する方法を提案することにある。
【課題を解決するための手段】
【０００８】
本発明によるユーザアクセス制御の方法は、ユーザを識別するユーザ識別ステップを有し、該ユーザ識別ステップは、前記プレーヤ内に設定されている該ユーザに適用可能であるペアレンタルレベルを復元(recover)するペアレンタルレベル復元ステップと、復元された該ペアレンタルレベルに依存して該ユーザアクセスを制御する、アクセス制御ステップとを有する。
【０００９】
本発明によって、異なるペアレンタルレベルが、異なるユーザに対して前記プレーヤ内に設定されることができ、ユーザが、メインコンテンツに関する（例えば、該プレーヤ内に存在するディスク内に記憶されているコンテンツに関する）付加的コンテンツにアクセスしようとする場合に、特定の該ユーザに適用可能なペアレンタルレベルが、復元され、前記ユーザアクセスを制御するのに使用される。
【００１０】
本発明によれば、前記ペアレンタルレベル復元ステップは、ユーザ識別処理の一部である。
【００１１】
本発明の好適実施例において、前記方法は、ユーザ識別子及びペアレンタルレベルがユーザ情報データベース内に記憶されている登録されているユーザに、適用可能である。ユーザ識別子が、前記ユーザによって供給された場合、該ユーザに適用されるべき前記ペアレンタルレベルが、該ユーザによって供給された該ユーザ識別子から、前記ユーザ情報データベース内で復元される。
【発明を実施するための最良の形態】
【００１２】
本発明のこれら又は他の見地は、添付図面を参照して更に記載される。
【００１３】
本発明によるシステムは、図１に記載されている。これは、ユーザ機器１０、伝送ネットワーク２０及びサーバ３０を有する。
【００１４】
好適実施例において、伝送ネットワーク２０は、インターネット・ネットワークである。これは、限定的するものではない。
【００１５】
ユーザ機器１０は、プレーヤ４０、表示ユニット４２及びユーザ対話ユニット４４を有する。例えば、表示ユニット４２は、テレビジョン受像機である。そうすると、ユーザ対話ユニット４４は、リモコンである。
【００１６】
プレーヤ４０は、少なくとも、マイクロプロセッサユニット５０、記憶ユニット５１、検出ユニット５４、デコーダ５６、及び送信／受信ユニット５８を有する。
【００１７】
検出ユニット５４は、携帯可能な担体６０上に記録されている信号を検出する。デコーダ５６は、検出ユニット５４によって検出された信号又は記憶ユニット５１内に読み出された信号を、処理する。デコータ５６の出力は、表示用に、表示ユニット４２に供給される。
【００１８】
送信／受信ユニット５８は、伝送ネットワーク２０を介して、データを送信／受信する。
【００１９】
プレーヤ４０は、ペアレンタルコントロールのフィーチャを実施するように設計されている。ペアレンタルコントロールの概念は、ＤＶＤをはじめとして知られている。これは、１つ以上のコンテンツの部分と関連して、前記ディスク内に１つ以上のペアレンタルレベルを示し、該プレーヤ内に１つ以上のペアレンタルレベルを設定するオプションを与えることにある。少なくとも、デフォルトのペアレンタルレベルが、設定されなくてはならない。例えば、異なるペアレンタルレベルが、異なるユーザに対して設定されることができる。あるユーザに対して、特定のペアレンタルレベルが設定されていない場合、前記デフォルトのペアレンタルレベルが、該ユーザに対して適用される。ペアレンタルレベルが適用可能である場合、前記プレーヤは、コンテンツに関連するペアレンタルレベルが、適用可能な前記ペアレンタルレベル以下であるならば、該コンテンツの再生のみを許可する。有利には、個人識別子番号（PIN code）が、前記ペアレンタルレベルを設定し変更するのに要求される。
【００２０】
サーバ３０は、少なくとも、マイクロプロセッサユニット７０と、記憶ユニット７１と、伝送ネットワーク２０を介してデータを送信／受信する送信／受信ユニット７６とを有する。
【００２１】
本発明は、メインコンテンツに関する付加的コンテンツへのユーザアクセスを制御する方法に関する。
【００２２】
好適実施例において、前記メインコンテンツは、携帯可能な担体、例えばディスク６０上に記録されている。しかし、これは、限定するものではない。前記メインコンテンツは、プレーヤ４０の記憶ユニット５１内に記憶されることもできる。
【００２３】
前記メインコンテンツに関する付加的コンテンツは、ディスク６０上に記録される、及び／又はサーバ３０の記憶ユニット７１内に遠隔的に記憶される。付加的コンテンツは、音声、ビデオ、画像、テキスト、フォント、アニメーション及びコマーシャルデータ等をはじめとして、様々な種類のデータを含むことができる。例えば、前記付加的コンテンツは、新しいバージョンのナビゲーションメニュー、メインビデオコンテンツと同期化された補足的な画像／テキスト／アニメーション、追加のストリーム化されたビデオ又はサブタイトル等であることができる。
【００２４】
好ましくは、前記メインコンテンツは、ユーザが対話ユニット４４を介して選択することができる付加的コンテンツへのリンクを含む。
【００２５】
本発明は、付加的コンテンツへのアクセスがユーザ識別に従う場合に、適用される。前記のようなユーザ識別は、多くのアプリケーションにおいて、例えば、（ユーザのアドレス及び／又はクレジットカード情報を記憶するための）コマーシャルアプリケーションにおいて、マルチユーザアプリケーションにおいて、又はコンテンツ保護目的に、便利である。例えば、各ユーザは、ユーザ識別子ＩＤｕ及びユーザパスワードＰＷｕによって識別される。
【００２６】
本発明は、ペアレンタルレベルコントロールのステップを、ユーザが付加的コンテンツにアクセスしようとした場合に実行されるユーザ識別処理に付加することにある。
【００２７】
ユーザの付加的コンテンツへのアクセスを制御する方法の第１実施例が、以下に、図２を参照して記載される。この第１実施例において、前記付加的コンテンツは、サーバ３０内にある。
【００２８】
図２によれば、ステップＳ０において、メインコンテンツを記録するディスク６０が、プレーヤ４０内に挿入される。前記ディスクによって記録されている前記メインコンテンツは、該ディスクの発行者のウェブサイトのホームページへのリンクＬＫ０を含むメニューを有する。このメニューは、ユーザ機器１０の表示ユニット４２上に表示される。ステップＳ１において、前記ユーザは、対話ユニット４４を使用することによって、リンクＬＫ０を選択する。ステップＳ２において、接続要求ＣＲＱが、プレーヤ４０からサーバ３０に送信される。ステップＳ３において、サーバ３０は、ホームページＬＰをプレーヤ４０に返信する。ホームページＬＰは、ユーザ登録アプリケーションＡＰＰＬ−ＲへのリンクＬＫ１と、ユーザ識別アプリケーションＡＰＰＬ−ＩへのリンクＬＫ２とを有する。
【００２９】
ユーザ登録アプリケーションＡＰＰＬ−Ｒ及びユーザ識別アプリケーションＡＰＰＬ−Ｉのどちらも、サーバ３０の記憶ユニット７１内に記憶されている。
【００３０】
リンクＬＫ１を選択すると（ステップＳ４）、プレーヤ４０は、登録要求ＲＲＱをサーバ３０に送信する（ステップＳ５）。登録要求ＲＲＱを受信すると、サーバ３０は、ユーザ登録アプリケーションＡＰＰＬ−Ｒを実行する。これは、
―  前記ユーザに、自身のユーザ識別子ＩＤｕ及び自身のユーザパスワードＰＷｕを入力するように指示するステップ（ステップＳ１０）；
―  プレーヤ４０によって現在適用されているペアレンタルレベルＰＬｕを問うステップ（ステップＳ２０）；及び
―  ユーザ識別子ＩＤｕ、ユーザパスワードＰＷｕ、及び適用可能なペアレンタルレベルＰＬｕを、サーバ３０の記憶ユニット７１内に記憶されているユーザデータベースＵＤＢ−Ｓに記録するステップ（ステップＳ３０）；
を有する。
【００３１】
リンクＬＫ２を選択すると（ステップＳ４０）、プレーヤ４０は、識別子要求ＩＲＱをサーバ３０に送信する（ステップＳ５０）。識別子要求ＩＲＱを受信すると、サーバ３０は、ユーザ識別子アプリケーションＡＰＰＬ−Ｉを実行する。これは、
―  前記ユーザに、自身のユーザ識別子ＩＤｕ及び自身のユーザパスワードＰＷｕを入力するように指示するステップ（ステップＳ６０）；
―  ユーザ識別子ＩＤｕ及びユーザパスワードＰＷｕを、ユーザデータベースＵＤＢ−Ｓを参照して、チェックするステップ（ステップＳ７０）；
―  ユーザデータベースＵＤＢ−Ｓ内で、ユーザ識別子ＩＤｕに対応するペアレンタルレベルＰＬｕを復元するステップ（ステップＳ８０）；及び
―  プレーヤ４０に、復元された前記ペアレンタルレベルに適合している付加的コンテンツＣｉ（ｉは整数）を提供する個人化されたページＰＰを送信するステップ（ステップＳ９０）；
を有する。
【００３２】
付加的コンテンツへのユーザアクセスを制御する方法の第２実施例が、以下に、図３を参照して記載される。この第２実施例において、前記付加的コンテンツは、ディスク６０上に記憶されている。
【００３３】
図３によれば、ステップＳ１００において、メインコンテンツ及び付加的コンテンツを記録するディスク６０が、プレーヤ４０内に挿入される。前記ディスク上に記録されている前記メインコンテンツは、ユーザ登録アプリケーションＡＰＰＬ−Ｒ'へのリンクＬＫ１’と、ユーザ識別アプリケーションＡＰＰＬ−Ｉ’へのリンクＬＫ２’とを有する。
【００３４】
ユーザ登録アプリケーションＡＰＰＬ−Ｒ’及びユーザ識別アプリケーションＡＰＰＬ−Ｉ’のどちらも、ディスク６０上に記憶されている。
【００３５】
前記ユーザによってリンクＬＫ１’が選択されると（ステップＳ１０１）、プレーヤ４０は、ディスク６０上のユーザ登録アプリケーションＡＰＰＬ−Ｒ’を読み出す（ステップＳ１０２）。次いで、ステップＳ１０３において、プレーヤ４０は、ユーザ登録アプリケーションＡＰＰＬ−Ｒ’を実行する。これは、
―  前記ユーザに、自身のユーザ識別子ＩＤｕ及び自身のユーザパスワードＰＷｕを入力するように指示するステップ（ステップＳ１１０）；
―  プレーヤ４０内に現在設定されているペアレンタルレベルＰＬｕを問うステップ（ステップＳ１２０）；及び
―  ユーザ識別子ＩＤｕ、ユーザパスワードＰＷｕ、及び適用可能なペアレンタルレベルＰＬｕを、プレーヤ４０の記憶ユニット５１内に記憶されているユーザデータベースＵＤＢ−Ｐに記録するステップ（ステップＳ１３０）；
を有する。
【００３６】
前記ユーザによってリンクＬＫ２’が選択されると（ステップＳ２０１）、プレーヤ４０は、ディスク６０上のユーザ識別アプリケーションＡＰＰＬ−Ｉ’を読み出す（ステップ２０２）。次いで、ステップ２０３において、プレーヤ４０は、ユーザ識別アプリケーションＡＰＰＬ−Ｉ’を実行する。これは、
―  前記ユーザに、自身のユーザ識別子ＩＤｕ及び自身のユーザパスワードＰＷｕを入力するように指示するステップ（ステップＳ２１０）；
―  ユーザ識別子ＩＤｕ及びユーザパスワードＰＷｕを、ユーザデータベースＵＤＢ−Ｐを参照して、チェックするステップ（ステップＳ２２０）；
―  ユーザデータベースＵＤＢ−Ｐ内で、ユーザ識別子ＩＤｕに対応するペアレンタルレベルＰＬｕを復元するステップ（ステップＳ２３０）；及び
―  復元された前記ペアレンタルレベルに適合している付加的コンテンツＣｉ’（ｉは整数）を提供する個人化されたページＰＰを、表示ユニット４２上に表示するステップ（ステップＳ２４０）；
を有する。
【００３７】
上述のシステム、プレーヤ、サーバ及びユーザアクセス制御の方法に関して、変形又は改良が、本発明の添付請求項から逸脱することなく提案されることができる。従って、本発明は、上述の例に限定されるものではない。
【００３８】
特に、図２及び３を参照して記載された実施例においては、登録アプリケーションへの前記リンクと、ユーザ識別子アプリケーションへの前記リンクとは、同一のページ上で提案されている。このことは、必須ではない。代替的な実施例において、これら２つのリンクは、異なるページ上で提案されることができる。
【００３９】
図２及び３を参照して記載された前記実施例においては、前記リンクは、前記ユーザによって選択されている。しかし、付加的コンテンツへのリンクが、前記ユーザによる選択なしに、自動的に設置されることも可能である。
【００４０】
「有する」という語は、前記請求項に記載されていない構成要素又はステップの存在を排除するものではない。
【図面の簡単な説明】
【００４１】
【図１】本発明によるシステムの模式図である。
【図２】本発明によるユーザアクセス制御方法の第１実施例の模式図である。
【図３】本発明によるユーザアクセス制御方法の第２実施例の模式図である。
【図１】
2006501714.tif 000003
【図２】
2006501714.tif 000004
【図３】
2006501714.tif 000005
【国際調査報告】
2006501714.tif 000006
2006501714.tif 000007
2006501714.tif 000008